(57)【要約】【課題】セラミック・ブロック発熱素子の動程中の温度を速やかに検出でき、ヘア・ドライヤーの過熱を未然に防止し、その使用年限を延長するヘア・ドライヤーの発熱装置の提供。【解決手段】ケーシング１内にモータ３とファン２と共に内蔵され、多数の前後方向に貫通した細孔４１１，４２１と、中央部を長軸方向に貫通した主通路４１２，４２２と、が形成され、前後両端部にはそれぞれ、電導性のリード４３，４４と遮熱リング５１，５２が取り付けられた蜂巣状のセラミック・ブロック４１，４２を発熱素子とし、主通路４１２，４２２の内部には温度センサー・スイッチ６１と過熱保護ヒューズ６２を長軸方向に挿し込んで、セラミック・ブロック４１，４２の過熱を検知し、電源を速やかに遮断するヘア・ドライヤーの発熱装置４を提供した。【選択図】図１
0003122131.tif 000002
【実用新案登録請求の範囲】
【請求項１】
ヘア・ドライヤーに内蔵された発熱装置であって、
ケーシングに１つのモータと１つのファンと共に内蔵され、
多数の前後方向に貫通した細孔と、中央部を長軸方向に貫通した主通路と、が形成され、前後両端部にはそれぞれ、電導性のリードと遮熱リングが取り付けられた蜂巣状のセラミック・ブロックを発熱素子とし、
前記主通路の内部には１つの温度センサー・スイッチが長軸方向に挿し込まれていることを特徴とするヘア・ドライヤーの発熱装置。
【請求項２】
前記セラミック・ブロック中央部の主通路には、さらに１本の過熱保護ヒューズが長軸方向に挿し込まれていることを特徴とする請求項１に記載のヘア・ドライヤーの発熱装置。
【請求項３】
前記温度センサー・スイッチと前記過熱保護ヒューズは直列に接続、またはその中の１つは電源線の中間タップに接続されていることを特徴とする請求項２に記載のヘア・ドライヤーの発熱装置。
【請求項４】
前記過熱保護ヒューズに接続された温度センサー・スイッチの他端は、前記セラミック・ブロックの前端部に嵌め込まれた遮熱リングに接続固定されていることを特徴とする請求項３に記載のヘア・ドライヤーの発熱装置。
【請求項５】
前記セラミック・ブロックは第１と第２ブロックとがあり、両者の間には電導性のリングが介在していることを特徴とする請求項１〜請求項４のいずれか１つに記載のヘア・ドライヤーの発熱装置。
【請求項６】
前記第２セラミック・ブロックは、モータの降圧素子として利用することを特徴とする請求項５に記載のヘア・ドライヤーの発熱装置。
【請求項７】
前記第１と第２セラミック・ブロックの間に介在する電導性のリングはその芯部から接続肢を伸長して、前記両セラミック・ブロックの外部にあるＬ型ブラッケットと接続していることを特徴とする請求項５または請求項６に記載のヘア・ドライヤーの発熱装置。
【請求項８】
前記発熱素子に利用される第１セラミック・ブロックは１つ、或いは１つ以上であることを特徴とする請求項５〜請求項７のいずれか１つに記載のヘア・ドライヤーの発熱装置。
【請求項９】
前記セラミック・ブロックの間、またはその両端に貼り付けられた前記電導性リードの表面は、波浪状に形成されていることを特徴とする請求項１〜請求項８のいずれか１つに記載のヘア・ドライヤーの発熱装置。
【考案の詳細な説明】
【技術分野】
【０００１】
本考案はセラミック・ブロックを発熱素子とするヘア・ドライヤーの発熱装置に関するもので、このセラミック・ブロックは多数の細孔を有する蜂巣状をなし、その中央部の長軸方向に貫通した主通路の内部に主通路に沿って挿入された温度センサー・スイッチで速やかにセラミック・ブロックの温度を検知できるものである。
【背景技術】
【０００２】
最近台湾実用新案Ｍ263023に登録された新考案のヘア・ドライヤーによれば、その構造は左右両半部で結合され、排風柵と吸風網を取り付けたケーシング内に電気回路制御素子、ファン、モータ、フィルター、モータ降圧素子を収納している。電気回路制御素子を操作してモータを駆動し、ファンを回転させれば吸風網から空気をケーシング内に導入し、排風柵からケーシングの外に排気するのである。モータ降圧素子の前後端にそれぞれ、セラミック・ブロックと、陰イオン発生器が設置され、セラミック・ブロックの前後各端部は電導性の金属層と遮熱層で被覆されている。そしてセラミック・ブロックは固定器具両端部の遮熱層の外側に固定されている。陰イオン発生器と両金属層が作動されれば、発生した陰イオン群は排風柵から吹き出し、使用者の毛髪の水分を保持するのである。セラミック・ブロックから発射される遠赤外線は深く使用者の皮膚を浸透し内側の組織に至り、血液の運行を促進するのである。
【０００３】
セラミック・ブロックをヘア・ドライヤーの発熱素子として利用することは公知の技術である。但し、セラミック・ブロックは脆くて破れ易く、過熱状態になると完全に破裂する恐れもある。且つ従来の抵抗線で製作されたモータの降圧素子は、扁平な雲母の袋に収納されているので、高温の抵抗線と接触している雲母袋の表面は時間が立つにつれ、劣化して剥落し、さらに高温の雲母は分解し難く、排出不能な毒性の微粒子を発生し、これを肺に吸入すれば人体に甚大な害毒を及ぼすものである。
【０００４】
以上の事情に鑑み、このような従来の欠点を改善せんがため、本願の考案者は多年当業に従事している経験に基づき長期に渡る苦心研鑽の結果、遂に本考案開発の成功を見るに至った。
【考案の開示】
【考案が解決しようとする課題】
【０００５】
セラミック・ブロック発熱素子の動程中の温度を速やかに検出し、以ってヘア・ドライヤーの過熱を未然に防止し、その使用年限を延長できるヘア・ドライヤーの発熱装置の開発を本考案の目的とする。
【課題を解決するための手段】
【０００６】
上述の目的を達成するため、本考案においては、ケーシングに１つのモータと１つのファンと共に内蔵され、多数の前後方向に貫通した細孔と、中央部を長軸方向に貫通した主通路と、が形成され、前後両端部にはそれぞれ、電導性のリード（ｒｅｅｄ）と遮熱リングが取り付けられた蜂巣状のセラミック・ブロックを発熱素子とし、主通路の内部には１つの温度センサー・スイッチが長軸方向に挿し込まれたヘア・ドライヤーの発熱装置を提供する。
【０００７】
また、セラミック・ブロック中央部の主通路には、１本の過熱保護ヒューズを長軸方向に挿入してもよい。
【０００８】
また、セラミック・ブロックを第１と第２ブロックに分け、第２ブロックをモータの降圧素子として利用してもよい。
【０００９】
また、発熱素子に利用する第１セラミック・ブロックは１つ、或いは１つ以上設けてもよい。
【考案の効果】
【００１０】
本考案に係るヘア・ドライヤーの発熱装置は、少なくとも２つの蜂巣状のセラミック・ブロックを備え付け、その中の１つを発熱素子、他の１つをモータの降圧素子として利用し、両ブロックの中央部を貫通する主通路に挿入した温度センサー・スイッチと過熱保護ヒューズにより、セラミック・ブロックを適温に保って作用させ、一旦過熱が発生すれば速やかに電源を遮断するので、ヘア・ドライヤーが効率良く使用され、その寿命も延長するものである。
【考案を実施するための最良の形態】
【００１１】
本考案に係るヘア・ドライヤーの発熱装置のその他の特徴、優点や運用に関しては、明細書に添付した図面を参考にして、以下説明する実施例の内容を御覧になっていただきたい。
【００１２】
図１から図４までを参照する。本考案に係るヘア・ドライヤーのケーシング１にはファン２、モータ３、と発熱装置４が内蔵されている。発熱装置４は第１セラミック・ブロック４１、第２セラミック・ブロック４２と、両ブロック４１、４２とに取り付けられ数片の電導性リード４３、４４と、リード４３、４４に取り付けられた数個の遮熱リング５１、５２からなり、全体の構造を封体４０で包装している。
【００１３】
第１と第２セラミック・ブロック４１、４２は共に多数の貫通した細孔４１１、４２１・・・のある蜂巣状のブロックであり、各々の中央部には長軸方向に貫通した主通路４１２、４２２が形成されており、両主通路４１２、４２２は連通していて、両セラミック・ブロック４１、４２との間には電導性のリング５３が介在している。前記の電導性リード４３と４４は各々第１と第２セラミック・ブロック４１、４２の外端に取り付けられ、リード４３と４４の反対側の面には各々、前記遮熱リング５１、５２が嵌め込まれている。
【００１４】
図３に示したように、第１と第２セラミック・ブロック４１、４２の主通路４１２、４２２の中には温度センサー・スイッチ６１と過熱保護ヒューズ６２が長軸方向に沿って挿し込まれている。両者６１と６２は互いに接続されており、温度センサー・スイッチ６１の他の一端部は横方向に伸張した鈎爪６３が遮熱リング５１上に設けられた鈎止５１１に係止されている。ヒューズ６２の他端部は、その一端を発熱装置から突出させ、他端を発熱装置の内部に引込ませた第１Ｌ型ブラッケット７１に係止されている。
【００１５】
同様に第２Ｌ型ブラッケット７２がその一端を発熱装置から突出させ、他端部を発熱装置の内部に伸張させて、両セラミック・ブロック４１と４２の間に介在する電導性リング５３に係止されている。
【００１６】
電導性リング５３は円枠状に形成され、その芯部から接続肢５３１を伸張して、第２Ｌ型ブラッケット７２と電気的に接続している。リング５３の縁部には１つの接点５３２が設けられていて、ここから導線でモータ３と接続するのである。
【００１７】
遮熱リング５１、電導性リード４３、第１セラミック・ブロック４１、電導性リング５３、第２セラミック・ブロック４２、電導性リード４４、遮熱リング５２という順序で、各部品を組立て、最後に封体４０で包装し、封体４０の縁部４１０の内側からねじ止めし、外側は両Ｌ型ブラッケット７１と７２とに結合させる。
【００１８】
このように組立てた発熱装置は、その第１セラミック・ブロック４１を発熱素子とし、第２セラミック・ブロック４２を降圧素子として利用する。モータ３も締付金具で封体４０の縁部４１０に固定するのである。
【００１９】
ファン２、モータ３、発熱装置４を組合せて１体のヘア・ドライヤーができ上がる。連通された両セラミック・ブロック４１、４２の主道路４１２、４２２に挿し込まれた温度センサー・スイッチ６１と過熱保護ヒューズ６２は、速やかに高感度でセラミック・ブロック４１、４２の温度状態を検知するのである。
【００２０】
一旦、セラミック・ブロック４１、４２の過熱状態が検出されれば温度センサー・スイッチ６１と過熱保護ヒューズは動作して、電源は遮断され、セラミック・ブロック４１と４２は保護されるのである。両保護素子６１と６２は通常直列に接続されるが、変則的にその中の１つを電源線の中間タップに接続してもよい。
【００２１】
セラミック・ブロック４１、４２との間、または両端に貼り付けられた電導性リード４３、４４の表面はクッション作用を利用して確実に両セラミック・ブロック４１、４２を保持するため、波浪状に形成されている。
【００２２】
実用上セラミック・ブロック４１、４２の取付数は各国の規定による、ヘア・ドライヤーの効率により、適当に調整できる。即ち１個、または複数でもよい。
【００２３】
モータ３が始動すればセラミック・ブロック４１、４２は付勢して発熱し、ファン２により遠赤外線を含んだ風を使用者の毛髪の吹き付けるのである。
【００２４】
本考案は形態において確かに創意性に富むのみならず、従来の製品に比べ、幾多の機能が追加でき、新規性及び進歩性の法定実用新案登録請求の要件に十分合致するものである。
【００２５】
以上詳細な説明は本考案の実用可能な実施例について具体的説明である。但し、この実施例は本考案の実用新案登録請求範囲を制限するものではなく、凡そ本考案の技術精神を逸脱せずなされた同等効果の実施、または変更は、全て本考案の実用新案登録請求範囲内に含まれるものとする。
【図面の簡単な説明】
【００２６】
【図１】図１は本考案に係るヘア・ドライヤーの発熱装置の断面図である。
【図２】図２は本考案に係るヘア・ドライヤーの発熱装置の概観図である。
【図３】図3は本考案に係るヘア・ドライヤーの発熱装置の立体分解図である。
【図４】図４は本考案に係るヘア・ドライヤーの発熱装置の正面図である。
【符号の説明】
【００２７】
１：ケーシング
２：ファン
３：モータ
４：発熱装置
４０：封体
４１０：封体縁部
４１：第１セラミック・ブロック
４２：第２セラミック・ブロック
４１１、４２１：蜂巣型細孔
４１２、４２２：主通路
４３、４４：電導性リード
５１、５２：遮熱リング
５３：電導リング
５３１：接続肢
５３２：接点
５１１：鈎止
６１：温度センサー・スイッチ
６２：過熱保護ヒューズ
６３：鈎爪
７１：第１Ｌ型ブラッケット
７２：第２Ｌ型ブラッケット
【図１】
0003122131.tif 000003
【図２】
0003122131.tif 000004
【図３】
0003122131.tif 000005
【図４】
0003122131.tif 000006